(57)【要約】【課題】カラーデザインをする正常色覚者に対し色覚異常者が認識する画像を容易に模擬体験できるようにしたカラー表示装置を提供すること。【解決手段】画像信号処理回路３として、入力した画像信号を正常色覚者の認識する色覚基準により画像処理する基本画像処理回路１１と、この基本画像処理回路１１により処理された画像信号を、色覚異常者の認識する色覚基準の画像信号に補正する画像補正回路１２と、基本画像処理回路１１により処理された画像信号を、そのまま出力するか、画像補正回路１２において補正された画像信号として出力するかを切り換える切換処理回路４とを備えている。また、画像補正回路１２は、第１色覚異常者及び第２色覚異常者を対象とするように構成されている。【選択図】図１
2008185688.tif 000002
【特許請求の範囲】
【請求項１】
画像信号処理回路として、入力した画像信号を正常色覚者の認識する色覚基準により画像処理する基本画像処理回路と、この基本画像処理回路により処理された画像信号を、色覚異常者の認識する色覚基準の画像信号に補正する画像補正回路と、基本画像処理回路により処理された画像信号を、そのまま出力するか、画像補正回路において補正された画像信号として出力するかを切り換える切換処理回路とを備えていることを特徴とするカラー表示装置。
【請求項２】
前記画像補正回路は、第１色覚異常者の認識する色覚基準の画像信号に補正する第１色覚異常補正回路と、第２色覚異常者の認識する色覚基準の画像信号に補正する第２色覚異常補正回路とを有し、使用者の選択によりいずれか一方を選択するように構成されていることを特徴とする請求項１記載のカラー表示装置。
【請求項３】
第１色覚異常補正回路及び第２色覚異常補正回路は、正常色覚者が認識するＲＧＢ各値と第１色覚異常者又は第２色覚異常者が認識するＲＧＢ各値とを段階的に対比させた第１補間テーブル又は第２補間テーブルを使用して、基本画像処理回路から出力されたＲＧＢ画像信号の値を第１色覚異常者又は第２色覚異常者の認識するＲＧＢ各値に補間計算するとともに、補間計算された数値のＲＧＢ画像信号の値となるように基本画像処理回路から出力された画像信号を補正するように構成されていることを特徴とする請求項２記載のカラー表示装置。
【請求項４】
前記第１補間テーブル及び第２補間テーブルは、正常色覚者が認識するＲＧＢ各値をビット数に応じた諧調の数値で表し、この正常色覚者が認識する数値に対する第１色覚異常者又は第２色覚異常者が認識するＲＧＢ各値を示したものであり、
前記第１色覚異常補正回路及び第２色覚異常補正回路は、前記第１補間テーブル及び第２補間テーブルの各数値をＲＧＢ３軸の直角座標上に表示するＲＧＢ３軸座標において、基本画像処理回路から入力されたＲＧＢ画像信号の値をプロットした点の近傍８ポイントの数値に対する第１色覚異常者又は第２色覚異常者が認識する値を読み出し、これら読み出された８ポイントの数値に基づき、前記基本画像処理回路から入力されたＲＧＢ画像信号に対する第１色覚異常者又は第２色覚異常者が認識するＲＧＢ各値を補間計算し、この補間計算結果に基づき補正値を求めるように構成されている
ことを特徴とする請求項３記載のカラー表示装置。
【請求項５】
前記画像補正回路は、前記補正値を複数段階の補正度合いに調整する補正度調整機能付きの第１色覚異常補正回路と第２色覚異常補正回路とを有し、使用者によりいずれか一方の補正回路を選択可能とするとともに、補正度合いのレベルを選択可能とするように構成されていることを特徴とする請求項４記載のカラー表示装置。
【請求項６】
前記カラー表示装置は、液晶プロジェクタであることを特徴とする請求項１〜５記載のカラー表示装置。
【発明の詳細な説明】
【技術分野】
【０００１】
本発明は、プロジェクタ等のカラー表示装置に関し、特に、色覚異常者の認識するカラー表示を模擬体験可能としたカラー表示装置に関する。
【背景技術】
【０００２】
近年、時代の進歩とともに、各種印刷物、表示パネル、映像等の画像表示装置などにおいて、情報に関心を引き付け易くするとともに、より的確に伝達できるようにするためにカラーデザイン化が浸透してきており、情報伝達手段としてのカラーデザインの重要性が増大している。しかしながら、これまでのカラーデザインは、正常色覚者による色認識を基準として行われていたため、色覚異常者にとって現代社会は不便を感じるケースが多くなってきている。
【０００３】
本明細書において色覚異常者とは、色覚異常者又は色覚障害者と呼ばれる人々のことをいう。また、色覚異常者としては、赤と緑の区別が付き難い赤緑色覚異常者が圧倒的に多く、このような異常が現れるのは赤椎体系又は緑椎体系に異常が発生することに起因するといわれている。なお、赤椎体系に異常がある場合を第１色覚異常といい、緑椎体系に異常がある場合を第２色覚異常と呼んでいる。本明細書における色覚異常者は、このような赤緑色覚異常者のことをいうものとする。
【０００４】
そして、このような色覚異常者の人口割合は、世界各国において決して少なくはない。例えば、黄色人種では、女性の場合は５００人に対し約１人の割合（約０．２％）と比較的低いが、同じ黄色人種でも男性の場合は２０人に約１人の割合（約５％）と高い。また、黒人の場合も男性が約５％と高割合であり、白人の男性に至っては約８％の高割合に達する。このようなことから、色覚異常者にとって不利にならないようなカラーユニバーサルデザインを広めることが、今後の社会問題として重要であると考えられる。
【０００５】
このような時代背景の下にあって、色覚異常者の色認識を考慮した表示装置として、特許文献１に記載の画像処理装置が提案されている。この画像処理装置は、正常色覚者による色認識を基準として設計されたカラー画像を、色覚異常者であるユーザ個人の好みの特性に補正した画像を提供しようとしたものである。
【特許文献１】特開平８−１６１２９号公報
【発明の開示】
【発明が解決しようとする課題】
【０００６】
しかしながら、上記特許文献１の画像処理装置は、ユーザ個人の好みの特性に画像信号を補正するものであって、正常色覚者がデザインしたカラー表示物を色覚異常者の認識する画像として表示するものではない。従って、この画像処理装置は、画像情報における色覚異常者の不利を是正するものではあるが、各種情報メディアにおける色覚異常者の不便を除去するカラーデザインを行うための支援ツールとして機能するものではない。
【０００７】
色が重要な伝達手段になっている現代において、色覚異常者に不便をかけないカラーユニバーサルデザインを広めるためには、色覚異常者が認識する色覚基準を配慮してカラーデザインすることが必要である。また、このためには正常色覚者が表示物のカラーデザインを行うときに、カラーユニバーサルデザインを支援するツールとして、色覚異常者の認識する画像を容易に模擬体験できるような簡易な装置が必要である。
【０００８】
本発明は、従来技術に存在するこのような問題点に着目してなされたものであって、カラーデザインをする正常色覚者に対し色覚異常者が認識する画像を容易に模擬体験できるようにしたカラー表示装置を提供することを目的とする。
【課題を解決するための手段】
【０００９】
本発明に係るカラー表示装置は、上記課題を解決するものであって、画像信号処理回路として、入力した画像信号を正常色覚者の認識する色覚基準により画像処理する基本画像処理回路と、この基本画像処理回路により処理された画像信号を、色覚異常者の認識する色覚基準の画像信号に補正する画像補正回路と、基本画像処理回路により処理された画像信号を、そのまま出力するか、画像補正回路において補正された画像信号として出力するかを切り換える切換処理回路とを備えていることを特徴とする。
【００１０】
このような構成上の特徴を有する本発明に係るカラー表示装置によれば、正常色覚者が認識する色覚基準により処理された画像信号に基づく正常色覚者用のカラー画像と、色覚異常者が認識する色覚基準により処理された画像信号に基づく色覚異常者用のカラー画像とを選択的に供給することができる。このため、正常色覚者は色覚異常者の認識するカラー画像を容易に見ることができる。そして、このような模擬体験を繰り返し体験することにより、色覚異常者の認識を配慮したカラーユニバーサルデザインを可能とするものであり、本発明に係るカラー表示装置はカラーユニバーサルデザインを支援する有益なツールとして活用することができる。
【００１１】
前記画像補正回路は、第１色覚異常者の認識する色覚基準の画像信号に補正する第１色覚異常補正回路と、第２色覚異常者の認識する色覚基準の画像信号に補正する第２色覚異常補正回路とを有し、使用者の選択によりいずれか一方を選択するように構成されていることが好ましい。このように構成すれば、使用者が選択した色覚異常者の種類に対応して補正された画像を出力することができる。
【００１２】
また、第１色覚異常補正回路及び第２色覚異常補正回路は、正常色覚者が認識するＲＧＢ各値と第１色覚異常者又は第２色覚異常者が認識するＲＧＢ各値とを段階的に対比させた第１補間テーブル又は第２補間テーブルを使用して、基本画像処理回路から出力されたＲＧＢ画像信号の値を第１色覚異常者又は第２色覚異常者の認識するＲＧＢ各値に補間計算するとともに、補間計算された数値のＲＧＢ画像信号の値となるように基本画像処理回路から出力された画像信号を補正するように構成されていることが好ましい。このように構成すると、基本画像処理回路で処理された画像信号を、画像補正回路における第１補間テーブル又は第２補間テーブルを使用した演算処理により、第１色覚異常者及び第２色覚異常者の認識する画像を実現する画像信号に補正することができるとともに、その処理時間を軽減することができる。また、信頼性のある補間テーブルを使用することにより、色覚異常者の認識する画像に近似する画像を容易に表示することができる。
【００１３】
また、前記第１補間テーブル及び第２補間テーブルは、正常色覚者が認識するＲＧＢ各値をビット数に応じた諧調の数値で表し、この正常色覚者が認識する数値に対する第１色覚異常者又は第２色覚異常者が認識するＲＧＢ各値を示したものであり、
前記第１色覚異常補正回路及び第２色覚異常補正回路は、前記第１補間テーブル及び第２補間テーブルの各数値をＲＧＢ３軸の直角座標上に表示するＲＧＢ３軸座標において、基本画像処理回路から入力されたＲＧＢ画像信号の値をプロットした点の近傍８ポイントの数値に対する第１色覚異常者又は第２色覚異常者が認識する値を読み出し、これら読み出された８ポイントの数値に基づき、前記基本画像処理回路から入力されたＲＧＢ画像信号に対する第１色覚異常者又は第２色覚異常者が認識するＲＧＢ各値を補間計算し、この補間計算結果に基づき補正値を求めるように構成されているようにすることが好ましい。このように構成すれば、補間計算が合理的なルールに従って精度よく行われるので、より現実的な色覚異常者の認識する画像に近似した画像を提供することができる。
【００１４】
また、前記画像補正回路は、前記補正値を複数段階の補正度合いに調整する補正度調整機能付きの第１色覚異常補正回路と第２色覚異常補正回路とを有し、使用者によりいずれか一方の補正回路を選択可能とするとともに、補正度合いのレベルを選択可能とするように構成されているものとしてもよい。このように構成すれば、現実に使用する色覚異常者との情報交換により補正度合いを調整し、より一層色覚異常者が認識する画像に近い状態の画像を提供することができる。
【００１５】
また、前記カラー表示装置は、液晶プロジェクタとすることができる。カラー表示装置を液晶プロジェクタとすると、ＰＣなどで作成したプレゼンテーション資料や、商品のデザイン写真などの画像を本発明の液晶プロジェクタを利用して色覚異常者の認識する画像を見ることができる。したがって、このような体験を通して、作成したい資料や商品をカラーユニバーサルデザインすることができる。
【発明の効果】
【００１６】
本発明によれば、正常色覚者が認識する色覚基準により処理された画像信号に基づく正常色覚者用のカラー画像と、色覚異常者が認識する色覚基準により処理された画像信号に基づく色覚異常者用のカラー画像とを選択的に供給することができる。このため、正常色覚者は色覚異常者の認識するカラー画像を容易に模擬体験することができる。そして、このような模擬体験を繰り返し可能とすることにより、色覚異常者の立場に立ったカラーユニバーサルデザインを可能とする。このようにして、本発明に係るカラー表示装置はカラーユニバーサルデザインを支援する有益なツールとして活用することができる。
【発明を実施するための最良の形態】
【００１７】
（実施の形態１）
この実施の形態におけるカラー表示装置は、色覚異常者の認識するカラー画像を正常色覚者が容易に見ることができるようにした液晶プロジェクタであって、液晶３板式の投射型プロジェクタに構成されている。図１は、実施の形態１に係る液晶プロジェクタにおける画像処理に関連する概略機能ブロック図である。以下、本実施の形態に係る３板式液晶プロジェクタの概略構成について図１に基づき説明する。
【００１８】
図１に示すように、パソコン、ビデオ等からの入力画像信号がＡ／Ｄ変換回路１に入力されて、デジタル信号に変換される。変換された画素は、画素変換回路２においてスケーリングされる。すなわち、この画素変換回路２において、入力画像信号の解像度を表示部の解像度に合わせ込む処理が行われる。画素変換回路２でスケーリングされた画像信号は、画像信号処理回路３に入力される。
【００１９】
画像信号処理回路３は、入力した画像信号を通常の液晶プロジェクタにおける画像処理と同様の画像処理を行う基本画像処理回路１１と、この基本画像処理回路１１により処理された画像信号を、色覚異常者の認識する画像に変換する画像補正回路１２とを備えている。上記通常の液晶プロジェクタにおける画像処理とは、一般の液晶プロジェクタにおける画像処理回路において行われる画像処理であって、正常色覚者の認識する色覚を基準とするカラーマネージメント、シャープネス等の高画質な画像信号を得るための処理をいう。また、画像補正回路１２における処理は、本発明における重要ポイントである。その補正処理の内容については後述する。
【００２０】
また、この液晶プロジェクタにおいては、基本画像処理回路１１により処理された画像信号を、そのまま出力するか、画像補正回路１２により補正された画像信号として出力するかは、ＯＳＤ（On Screen Display）機能により選択可能としたＯＳＤ切換処理回路４により行われる。すなわち、液晶プロジェクタのＯＳＤメニューで表示モードが正常色覚者用モード（以下、通常表示モードという）か色覚異常者用モード（以下、補正表示モードという）かを選択可能としている。
【００２１】
ＯＳＤ切換処理回路４において通常表示モードが選択された場合は、基本画像処理回路１１から出力された画像信号がＯＳＤ切換処理回路４を介してそのままデジタルガンマ補正回路５に出力されるように接続される。また、ＯＳＤ切換処理回路４において補正表示モードが選択された場合は、前述の画像補正回路１２からの出力、すなわち、基本画像処理回路１１から出力された画像信号を画像補正回路１２で補正した後の画像信号がＯＳＤ切換処理回路４を介してデジタルガンマ補正回路５に出力されるように接続される。
【００２２】
そして、デジタルガンマ補正回路５に入力されたＲＧＢ各色の画像信号は、ガンマ補正された画像信号としてＲＧＢ各色用のＬＣＤパネル７（液晶パネル）を駆動する各ＬＣＤパネルドライバ６に入力されて、各色のＬＣＤパネル７が駆動される。
【００２３】
この実施の形態に係る３板式液晶プロジェクタにおいては、光源として超高圧水銀ランプが使用されている。超高圧水銀ランプからの白色光は、ＲＧＢ分解用ダイクロイックミラーを経て白色光をＲＧＢ３成分に分解される。そして、ＲＧＢ３成分に分解された光は、前述の各色用のＬＣＤパネル７に透過され、このＬＣＤパネル７の各ＬＣＤパネルドライバ６にデジタルガンマ補正回路５を経た画像信号が入力されることにより画像を形成する光として生成される。各色のＬＣＤパネル７を透過した画像形成用のＲＧＢ３成分の光は、ＲＧＢ合成用ダイクロイックミラーにより合成され、さらに投射レンズ等の光学系装置を経てスクリーンに投射され、所定のカラー画像がスクリーンに形成される。
【００２４】
次に、本実施の形態における画像補正回路１２について、図１〜図５に基づき説明する。
画像補正回路１２は、基本画像処理回路１１により処理されたＲＧＢ画像信号を色覚異常者の認識する画像に変換するものであって、基本画像処理回路１１により処理された画像信号を色覚異常者の認識する色覚基準による画像信号に補正する。また、画像補正回路１２は、第１色覚異常者が認識する色覚基準による画像信号に補正する第１色覚異常補正回路１４と、第２色覚異常者が認識する色覚基準による画像信号に補正する第２色覚異常補正回路１５とを備えている。使用者は、第１色覚異常者の認識する画像を求めるか、第２色覚異常者の認識する画像を求めるかにより、第１色覚異常補正回路１４と第２色覚異常補正回路１５とを選択できるように構成されている。また、選択された第１色覚異常補正回路１４又は第２色覚異常補正回路１５を駆動させるようにするために、この画像補正回路１２には信号切換回路１３が設けられている。なお、この選択は、液晶プロジェクタのＯＳＤメニューで選択できるように構成されている。ＯＳＤメニューで選択された補正回路の選択指令は、前記ＯＳＤ切換処理回路４から信号切換回路１３に送信され、信号切換回路１３はこの送信指示に基づき選択された第１色覚異常補正回路１４又は第２色覚異常補正回路１５を動作させるように切り換えられる。
【００２５】
次に、画像信号処理回路３の動作について説明する。図２はこの画像信号処理のフローチャートである。
この液晶プロジェクタにおいては、使用者は、ＯＳＤメニューにより、表示モードを通常表示モードとするか補正表示モードとするかを選択する（ステップＳ１）。さらに、使用者は、補正表示モードを選択した場合は、第１補正表示モード（第１色覚異常者用モード）或いは第２補正表示モード（第２色覚異常者用モード）かを選択する（ステップＳ２）。この選択信号はＯＳＤ切換処理回路４から信号切換回路１３に選択指令として送信される（図１参照）。
【００２６】
次に、選択された表示モードが通常表示モードか補正表示モードか判断される（ステップＳ３）。通常表示モードが選択されている場合は、ＯＳＤ切換処理回路４が基本画像処理回路１１に接続される（ステップＳ４）。したがって、基本画像処理回路１１により処理された画像信号がそのまま画像信号処理回路３からＯＳＤ切換処理回路４に出力され、デジタルガンマ補正回路５に入力されるので、最終的には正常色覚者の認識する画像がこの液晶プロジェクタのスクリーンに映し出されることになる。
【００２７】
一方、表示モードとして補正表示モードが選択されている場合は、ＯＳＤ切換処理回路４が第１色覚異常補正回路１４及び第２色覚異常補正回路１５に接続される（図１参照）。そして、第１補正表示モード或いは第２補正表示モードのいずれが選択されているか判断される（ステップＳ５）。また、第１補正表示モードが選択されている場合には、信号切換回路１３が切り替えられ、信号切換回路１３に対し第１色覚異常補正回路１４が接続される（ステップＳ６）。また、第２補正表示モードが選択されている場合には、信号切換回路１３が切り替えられ、信号切換回路１３に対し第２色覚異常補正回路１５が接続される（ステップＳ９）。
【００２８】
第１補正表示モードが選択されている場合は、第１色覚異常補正回路１４において第１補間テーブル（第１色覚異常者用補間テーブル）を使用した補間計算が行われる（ステップＳ７）。この第１補間テーブルは、図３に示すように、正常色覚者が認識するＲＧＢ各値をビット数に応じた諧調の数値で表すとともに、この数値と第１色覚異常者が認識するＲＧＢ各値とを適宜の間隔を置いて段階的に対比させたものである。そして、この第１補間テーブルの各数値をＲＧＢ３軸の直角座標上に表示するＲＧＢ３軸座標において、図４に示すように、基本画像処理回路１１から入力されたＲＧＢ画像信号の値をプロットしたａ点の近傍８ポイント（ｂ点〜ｉ点）の数値に対する第１色覚異常者が認識する値を読み出す。そして、これら読み出された数値に基づき、基本画像処理回路１１から入力された画像信号に対する第１色覚異常者の認識する数値を補間計算し（ステップＳ７）、この補間計算結果に基づき補正値が求められる（ステップＳ８）。そして、補正された画像信号がＯＳＤ切換処理回路４を介してデジタルガンマ補正回路５に出力される（ステップＳ１２）。この結果、この液晶プロジェクタのスクリーンには、第１色覚異常者が認識する画像に近似する画像が映し出される。
【００２９】
また、第２補正表示モードが選択されている場合は、第２色覚異常補正回路１５において第２補間テーブル（第２色覚異常者用補間テーブル）を使用した補間計算が行われる（ステップＳ１０）。この第２補間テーブルは、図４に示すように、正常色覚者が認識するＲＧＢ各値をビット数に応じた諧調の数値で表すとともに、この数値と第２色覚異常者が認識するＲＧＢ各値とを、前記第１補間テーブルの場合と同一の間隔を段階的に対比させたものである。そして、この第２補間テーブルの各数値をＲＧＢ３軸の直角座標上に表示するＲＧＢ３軸座標において、前述の補間計算と同様に、入力されたＲＧＢ画像信号の値をプロットしたａ点の近傍８ポイント（ｂ点〜ｉ点）の数値に対する第２色覚者が認識する値を読み出す。そして、これら８ポイント（ｂ点〜ｉ点）の読み出された数値から入力された画像信号に対する第２色覚異常者の認識する数値を補間計算し（ステップＳ１０）、この補間計算結果に基づき補正値が求められる（ステップＳ１１）。そして、補正された画像信号がＯＳＤ切換処理回路４を介してデジタルガンマ補正回路５に出力される（ステップＳ１２）。この結果、この液晶プロジェクタのスクリーンには、第２色覚異常者が認識する画像に近似する画像が映し出される。
【００３０】
上記のように構成された実施の形態１に係るカラー表示装置によれば、次のような効果を奏することができる。
（１）正常色覚者が認識する色覚基準により処理された画像信号に基づく正常色覚者用のカラー画像と、正常色覚者が認識する色覚基準により処理された画像信号を、色覚異常者が認識する色覚基準により補正した画像信号に基づく色覚異常者用のカラー画像とを選択的に供給することができる。このため、正常色覚者は色覚異常者の認識するカラー画像を容易に見ることができる。そして、このような模擬体験を繰り返し体験することにより、色覚異常者の認識を配慮したカラーユニバーサルデザインを可能とするものであり、本発明に係るカラー表示装置はカラーユニバーサルデザインを支援する有益なツールとして活用することができる。
【００３１】
（２）画像補正回路１２は、第１色覚異常者が認識する色覚基準による画像信号に補正する第１色覚異常補正回路１４と、第２色覚異常者が認識する色覚基準による画像信号に補正する第２色覚異常補正回路１５とを有し、使用者の選択によりいずれか一方を選択するように構成されている。したがって、本発明のカラー表示装置によれば、使用者が選択した色覚異常者の種類に対応して補正された画像を出力することができる。
【００３２】
（３）第１色覚異常補正回路１４及び第２色覚異常補正回路１５は、第１補間テーブル又は第２補間テーブルを使用して基本画像処理回路１１から出力されたＲＧＢ画像信号の値を、第１色覚異常者又は第２色覚異常者が認識するＲＧＢ各値に補間計算するように構成されている。また、この補間計算結果に基づき基本画像処理回路１１から出力された画像信号を補正するように構成されている。したがって、基本画像処理回路１１で処理された画像信号を、画像補正回路１２における第１補間テーブル又は第２補間テーブルを使用した演算処理により、第１色覚異常者及び第２色覚異常者の認識する画像を実現する画像信号に補正することができるとともに、その処理時間を軽減することができる。また、信頼性のある補間テーブルを使用することにより、色覚異常者の認識する画像に近似する画像を容易に表示することができる。
【００３３】
（４）前記補間テーブルは、正常色覚者が認識するＲＧＢの各値を０〜２５６の数値で表し、この数値に対する第１色覚異常者又は第２色覚異常者が認識するＲＧＢ各値を示したものである。また補間計算は、ＲＧＢ３軸の直角座標上において、基本画像処理回路１１から入力されたＲＧＢ画像信号の値をプロットしたａ点の近傍８ポイント（ｂ点〜ｉ点）の数値に対する第１色覚異常者又は第２色覚異常者が認識する値を読み出し、これら読み出された数値から補間計算するように構成されている。したがって、補間計算が合理的なルールに従って精度よく行われるので、より現実的な色覚異常者の見方に合致した画像を提供することができる。
【００３４】
（５）前記カラー表示装置は、液晶プロジェクタであるので、ＰＣなどで作成したプレゼンテーション資料や、商品のデザイン写真などの画像を本発明の液晶プロジェクタを利用して色覚異常者の認識する画像を見ることができる。したがって、このような体験を通して、作成したい資料や商品をカラーユニバーサルデザインすることができる。
【００３５】
（実施の形態２）
実施の形態２に係る液晶プロジェクタは、実施の形態１に係る液晶プロジェクタの画像補正回路１２における補正値を複数段階の補正度合いに調整するように、画像補正回路１２を構成する第１色覚異常補正回路１４及び第１色覚異常補正回路１５を補正度調整機能付の第１色覚異常補正回路２４及び第２色覚異常補正回路２５としたものである。
【００３６】
そして、図６に示すように、前述のＯＳＤ切換処理回路４により駆動されるＯＳＤメニューおいて、使用者が補正度合いを選択できるようにしている。また、ＯＳＤメニューにより選択された補正度合いは、前述の補正度調整機能付の第１色覚異常補正回路２４及び第２色覚異常補正回路２５に補正度指令として入力され、これら補正回路では選択された補正度合いにより基本画像処理回路１１から入力された画像信号を補正するように構成されている。
【００３７】
図７は、この実施の形態２における画像信号処理のフローチャートである。
実施の形態２においては、使用者は、ＯＳＤメニューにより、表示モードを通常表示モードとするか補正表示モードとするかを選択する（ステップＳ２１）とともに、補正表示モードの場合は第１補正表示モード或いは第２補正表示モードを選択する（ステップＳ２２）。この選択信号はＯＳＤ切換処理回路４から信号切換回路１３へ選択指令として送信される（図６参照）。さらに、使用者は、ＯＳＤメニューにより、画像補正回路１２における補正度合いを選択する（ステップＳ２３）。この補正度合いは、ＯＳＤ切換処理回路４から補正度合い指令として補正度調整機能付の第１色覚異常補正回路２４及び第２色覚異常補正回路２５に送信される（図６参照）。
【００３８】
次に、選択された表示モードが通常表示モードか補正表示モードか判断される（ステップＳ２４）。通常表示モードが選択されている場合は、実施の形態１の場合と同様にＯＳＤ切換処理回路４が基本画像処理回路１１に接続される（ステップＳ２５）。したがって、基本画像処理回路１１により処理された画像信号がそのまま画像信号処理回路３からＯＳＤ切換処理回路４に出力され、デジタルガンマ補正回路５に入力されるので、最終的には正常色覚者が認識する画像がスクリーンに映し出される。
【００３９】
一方、表示モードとして補正表示モードが選択されている場合は、ＯＳＤ切換処理回路４が補正度調整機能付の第１色覚異常補正回路２４及び第２色覚異常補正回路２５に接続される（図６参照）。そして、第１補正表示モード或いは第２補正表示モードのいずれが選択されているか判断される（ステップＳ２６）。また、第１補正表示モードが選択されている場合には、信号切換回路１３が切り替えられ、信号切換回路１３に対し補正度調整機能付の第１色覚異常補正回路２４が接続される（ステップＳ２７）。また、第２補正表示モードが選択されている場合には、信号切換回路１３が切り替えられ、信号切換回路１３に対し補正度調整機能付の第１色覚異常補正回路２５が接続される（ステップＳ３１）。
【００４０】
第１補正表示モードが選択されている場合は、補正度調整機能付の第１色覚異常補正回路２４において、実施の形態１における第１補間テーブルを使用し、前述の補間計算と同様の補間計算が成される（ステップＳ２８）。そして、この補間計算結果に対し、ＯＳＤ切換処理回路４からから入力される補正度合いを乗算して（ステップＳ２９）、補正値が求められる（ステップＳ３０）。したがって、基本画像処理回路１１から入力された画像信号は、この補正値に基づいて補正されてＯＳＤ切換処理回路４を介してデジタルガンマ補正回路５に出力される（ステップＳ３５）。この結果、この液晶プロジェクタのスクリーンには、第１色覚異常者が認識する画像に近似する画像が使用者の選択した補正度合いに調整されて映し出される。
【００４１】
また、第２補正表示モードが選択されている場合は、補正度調整機能付の第２色覚異常補正回路２５において、実施の形態１における第２補間テーブルを使用して実施の形態１の場合と同様に補間計算される（ステップＳ３２）。そして、この補間計算結果に対し、ＯＳＤ切換処理回路４から入力される補正度合いを乗算して（ステップＳ３３）、補正値が求められる（ステップＳ３４）。したがって、基本画像処理回路１１から入力された画像信号は、この補正値に基づいて補正されてＯＳＤ切換処理回路４を介してデジタルガンマ補正回路５に出力される（ステップＳ３５）。この結果、この液晶プロジェクタのスクリーンには、第２色覚異常者が認識する画像に近似する画像が使用者の選択した補正度合いに調整されて映し出される。
【００４２】
上記のように構成された実施の形態２に記載のカラー表示装置によれば、現実に使用する色覚異常者との情報交換により補正度合いを調整し、より一層色覚異常者が認識する画像に近い状態の画像を提供することができる。
【００４３】
（変形例）
上記実施の形態において以下のように変更することもできる。
（１）上記各実施の形態においては、カラー表示装置は液晶３板式の投射型プロジェクタとして説明してきたが、これに限定されるものではなく、プロジェクタはＲＧＢ各色のカラーフィルタが規則的に格子状に配置され、１枚でフルカラーの変調光を投射することが可能な単板の液晶ライトバルブを用いる構成であってもよい。また、反射型液晶表示装置やティルトミラーデバイスを用いる構成としてもよい。これらプロジェクタにおいても同様の構成により同様の効果を奏することができる。
【００４４】
（２）また、上記各実施の形態においては、カラー表示装置は液晶３板式の投射型プロジェクタとして説明してきたが、プロジェクタに限定するものではない。カラー表示装置としては、例えば、ＣＲＴディスプレイ、プラズマディスプレイ、液晶ディスプレイ、有機ＥＬディスプレイ、リアプロジェクタなどであってもよい。
【００４５】
（３）また、上記各実施の形態においては、補間テーブルとして図３又は図５に例示しているが、これに限定されるものではない。例えば、数値表示する段階をさらにきめ細かいものとしてもよく、さらに研究を重ねて数値が改正されたものとしてもよい。なお、前記図３及び図５はインターネット http://www.tsienst.fr/~brettel/CRA24/table2data.txtに記載されているものを抜粋して、補間テーブルのイメージを表したものである。
【００４６】
（４）上記実施の形態２において、補正度合いとしては数段階のものとすることができる。具体的に何段階とするか記載していないが、例えば、１２０％、１００％、８０％のような範囲及び３段階としてもよく、また、このような範囲及び段階数を他に変更してもよい。また、このような補正度合い調整ではなく、他の考え方に基づく補正度合い調整とすることを排除するものではない。
【図面の簡単な説明】
【００４７】
【図１】本発明の実施の形態１に係る液晶プロジェクタにおける画像処理に関連する概略機能ブロック図。
【図２】同実施の形態における画像信号処理のフローチャート。
【図３】同実施の形態に使用される第１補間テーブルのイメージ図。
【図４】同実施の形態における補間計算説明図。
【図５】同実施の形態に使用される第２補間テーブルのイメージ図。
【図６】本発明の実施の形態２に係る液晶プロジェクタにおける画像処理に関連する概略機能ブロック図。
【図７】同実施の形態における画像信号処理のフローチャート。
【符号の説明】
【００４８】
３…画像信号処理回路、４…（ＯＳＤ）切換処理回路、１１…基本画像処理回路、１２…画像補正回路、１４…第１色覚異常補正回路、１５…第２色覚異常補正回路、２４…補正度調整機能付き第１色覚異常補正回路、２５…補正度調整機能付き第２色覚異常補正回路。
【図１】
2008185688.tif 000003
【図２】
2008185688.tif 000004
【図３】
2008185688.tif 000005
【図４】
2008185688.tif 000006
【図５】
2008185688.tif 000007
【図６】
2008185688.tif 000008
【図７】
2008185688.tif 000009